(57)【要約】【課題】飲料容器を安定した状態で置くためのホルダにもなる飲料容器の収容ボックスを提供する。【解決手段】飲料容器の収容ボックス１は、開閉蓋２で開閉する上部の容器取出し口３と底部４と二対の側面５，５，６，６とを有し、内部に二個の飲料容器ａ，ａを収容可能な長方体形状となす。また、相対する前記一対の側面５，５のうち一方の側面５には、前記各飲料容器ａ，ａを挿入し得るよう形成した二個の円形のホルダ用穴７，７を設け、前記容器取出し口３内側には、前記容器取出し口３の一側から延びる延長片１１を底部１６と天部１７と一対の側部１８，１９を有する景品収容部１１ａを引き出し可能に配置するとともに、前記景品収容部１１ａの前記天部１７に指掛け穴２０を設ける。【選択図】図５
2008044639.tif 000002
【特許請求の範囲】
【請求項１】
上部に開閉蓋で開閉する容器取出し口を有するとともに、内部に複数の飲料容器を収容可能な長方体形状となし、その側面には飲料容器を挿入し得るよう形成したホルダ用穴を設けた飲料容器の収容ボックス。
【請求項２】
上部に開閉蓋で開閉する容器取出し口を有するとともに、内部に複数の飲料容器を収容可能な長方体形状となし、その側面には飲料容器を挿入し得るよう形成したホルダ用穴を設けた飲料容器の収容ボックスであって、前記容器取出し口内側に、前記容器取出し口の一側から延びる延長片を底部と天部と一対の側部を有するよう折り曲げてなる景品収容部を引き出し可能に配置するとともに、前記景品収容部の天部に指掛け穴を設けた飲料容器の収容ボックス。
【発明の詳細な説明】
【技術分野】
【０００１】
本発明は、ビールや清涼飲料用の缶やボトルなどの飲料容器の収容ボックスに係り、特に、飲料を飲むときに飲料容器を安定した状態で置くためのホルダにもなる飲料容器の収容ボックスに関する。
【背景技術】
【０００２】
従来、缶ビールなどのボックスには、複数個の缶ビールを収容するとともに、持ち運びを容易にするという機能を備えたもの（特許文献１参照）はあるが、飲料を飲むときに、飲料容器を安定した状態で置けるようにしたものは提案されていなかった。
【特許文献１】登録実用新案第３０６０４３５号公報
【発明の開示】
【発明が解決しようとする課題】
【０００３】
例えば、野外の行楽地において飲料を飲む際、飲料容器を置く場所が平坦でない場合が多く、飲みかけの飲料容器が転倒する事態を生じやすいという問題があった。
【０００４】
本発明は、上記不便さを解消することを課題とし、該課題を解決した飲料容器の収容ボックスを提供することを目的とする。
【課題を解決するための手段】
【０００５】
上記目的を達成するために、本発明の請求項１に記載の飲料容器の収容ボックスは、上部に開閉蓋で開閉する容器取出し口を有するとともに、内部に複数の飲料容器を収容可能な長方体形状となし、その側面には飲料容器を挿入し得るよう形成したホルダ用穴を設けたものである。
【０００６】
また、本発明の請求項２に記載の飲料容器の収容ボックスは、上部に開閉蓋で開閉する容器取出し口を有するとともに、内部に複数の飲料容器を収容可能な長方体形状となし、その側面には飲料容器を挿入し得るよう形成したホルダ用穴を設けた飲料容器の収容ボックスであって、前記容器取出し口内側に、前記容器取出し口の一側から延びる延長片を底部と天部と一対の側部を有するよう折り曲げてなる景品収容部を引き出し可能に配置するとともに、前記景品収容部の天部に指掛け穴を設けたものである。
【発明の効果】
【０００７】
本発明の請求項１に記載の飲料容器の収容ボックスによれば、飲料容器を収容して持ち運ぶことができるうえに、飲料を飲むときに飲料容器を安定した状態で置くためのホルダとしての機能を有するという効果を奏する。
【０００８】
また、本発明の請求項２に記載の飲料容器の収容ボックスによれば、前記請求項１に記載の発明の効果に加えて、景品収容部を容器取出し口に引き出し可能に設けたので、景品、例えばビールのおつまみ等を収容して持ち運ぶことができるうえ、この景品収容部を設けることによって、収容ボックスの強度が増し、例えば小売店等で収容ボックスを積み上げても変形したりしないという効果を奏する。
【発明を実施するための最良の形態】
【０００９】
以下に、本発明の好適な実施形態を添付図面の図１〜図６に基づいて詳細に説明する。ここにおいて、図１は収容ボックスの正面図、図２は同じく背面図、図３は同じく平面図、図４は開閉蓋を開いた状態の縦断面図、図５はホルダとして使用している状態を示す斜視図、図６は開閉蓋を開くとともに景品収容部を引き出した状態を示す部分縦断面図である。
【００１０】
図１〜図６に示すように、収容ボックス１は、開閉蓋２で開閉する上部の容器取出し口３と底部４と二対の側面５，５，６，６とを有し、内部に二個の飲料容器ａ，ａを収容可能な長方体形状となす。また、相対する前記一対の側面５，５のうち一方の側面５には、前記各飲料容器ａ，ａを挿入し得るよう形成した二個の円形のホルダ用穴７，７を設け、他方の前記側面５には、収容した飲料容器ａに表示された商品名等を外部から視認し得るように窓部８を設けてある。
【００１１】
図４及び図６に示すように、開閉蓋２は、容器取出し口３において前記一方の側面５の上端を折り部９を介して延長してなり、前記折り部９を中心に扉式に開閉する。
【００１２】
図４及び図６に示すように、前記他方の側面５には、内側に折れる折り部１０を介して延長片１１を連設する。この延長片１１は、それぞれ外側に折れる四つの折り部１２，１３，１４，１５を設けることによって、底部１６と天部１７と一対の側部１８，１９を区画し、前記各折り部１０，１２〜１５を折って容器取出し口３内側に嵌め込み、景品収容部１１ａとする。また、前記天部１７の中央に設けた指掛け穴２０は、図４に示す状態の前記景品収容部１１ａを容器取出し口３から出す際に、指を掛けて天部１７を引き上げ、景品収容部１１ａを開けたり、図６に示す状態の延長片１１に展開して引き出すためのものである。そして、景品収容部１１ａを引き出した図６に示す状態は、容器取出し口３が開口していて、飲料容器ａ，ａを出し入れ可能である。なお、図３〜図６中、符号２１は一対の側面６，６を延長してなるフラップである。
【００１３】
次に、前記収容ボックス１の使用方法を説明する。先ず、図６の状態において飲料容器ａ，ａを立てた状態で内部に収容し、延長片１１の底部１６を前記飲料容器ａ，ａの上端に載せるように折り部１０を内側に、また折り部１２、１３を外側にそれぞれ折って、容器取出し口３内側に嵌め込んだ後に、さらに折り部１４，１５を外側に直角に折って、折り部１０側に嵌め込む。そして、このように各折り部１０，１２〜１５を折った延長片１１は、図４に示すような景品収容部１１ａとなり、内部にビールのおつまみなどの景品を収容することができる。続いて、図１及び図２に示すように、開閉蓋２を閉めた状態で、小売店等の店頭に積み上げて販売する。前記景品収容部１１ａを設けることによって、収容ボックス１の強度が増し、積み上げても変形したりしない。
【００１４】
一方、この収容ボックス１に入れた飲料容器ａ，ａを購入した消費者は、これを持参した行楽地で、開閉蓋２を開け、景品収容部１１ａの指掛け穴２０に指を掛けて天部１７を開き内部のおつまみを取り出した後に、前記天部１７をさらに引いて、図６に示す延長片１１に展開することにより、景品収容部１１ａを引き出して容器取出し口３を開口し、内部の飲用容器ａ，ａを取り出す。飲料を飲む際には、収容ボックス１を、ホルダ用穴７，７を上にするように寝かし、飲料容器ａをこのホルダ用穴７に挿入すれば、該飲料容器ａは安定して支持され倒れるおそれがない。図５では開閉蓋２を開け、景品収容部１１ａを引き出した状態で使用しているが、開閉蓋２と景品収容部１１ａで容器取出し口３を閉鎖した状態で使用してもよい。
【００１５】
なお、本発明は、上記実施形態になんら限定されるものではなく、例えば、ホルダ用穴７，７は円形ではなく、四角形や六角形であってもよいほか、景品収容部１１ａの天部１７の指掛け穴２０は、天部１７の中心からずれた位置に設けてもよい。また、景品収容部１１ａに収容する景品はビールのつまみではなく、ミニ玩具などであってもよいほか、前記景品収容部１１ａはあえて設けなくてもよい。
【図面の簡単な説明】
【００１６】
【図１】収容ボックスの正面図。
【図２】同じく背面図。
【図３】同じく平面図。
【図４】開閉蓋を開いた状態の縦断面図。
【図５】ホルダとして使用している状態を示す斜視図。
【図６】開閉蓋を開くとともに景品収容部を引き出した状態を示す部分縦断面図。
【符号の説明】
【００１７】
１    収容ボックス
２    開閉蓋
３    容器取出し口
４    底面
５，６    側面
７    ホルダ用穴
８    窓部
９，１０    折り部
１１    延長片
１１ａ    景品収容部
１２，１３，１４，１５    折り部
１６    底部
１７    天部
１８，１９    側部
２０    指掛け穴
２１    フラップ
【図１】
2008044639.tif 000003
【図２】
2008044639.tif 000004
【図３】
2008044639.tif 000005
【図４】
2008044639.tif 000006
【図５】
2008044639.tif 000007
【図６】
2008044639.tif 000008